(57)【特許請求の範囲】
【請求項１】
前面開口部および後面開口部が形成されているとともにモジュール挿抜部が上下二段に形成されているエンクロージャーハウジングと、
前記モジュール挿抜部に連通する位置で前記エンクロージャーハウジングの後面開口部の左右中央に位置している電源ユニットと、
上下二段の前記モジュール挿抜部に連通する位置で前記電源ユニットの左右両側で前記エンクロージャーハウジングの後面開口部の少なくとも一部の上側および下側に上側後面開口および下側後面開口を介して位置している空冷ファンと、
前記エンクロージャーハウジングの下側の前記モジュール挿抜部に前後方向に着脱自在に挿抜されて前記電源ユニットに導通している下側サーバーモジュールと、
前記下側サーバーモジュールの後端に搭載されていて前記下側後面開口に前後方向に出没自在に位置している下側インターフェイスユニットと、
前記エンクロージャーハウジングの上側の前記モジュール挿抜部に前後方向に着脱自在に挿抜されて前記電源ユニットに導通している上側サーバーモジュールと、
前記上側サーバーモジュールの後端に個々に搭載されていて前記上側後面開口に前後方向に出没自在に位置している上側インターフェイスユニットと、
を有しているサーバーエンクロージャー。
【請求項２】
前記上側サーバーモジュールは、
後部から上方に立設されていて前記空冷ファンの前方に位置するモジュール立設後部と、
前記モジュール立設後部から後方に延設されていて前記空冷ファンの上方に位置するモジュール延設後部と、を有しており、
前記上側インターフェイスユニットは、前記モジュール延設後部の後端に搭載されている、
請求項１に記載のサーバーエンクロージャー。
【請求項３】
前記上側サーバーモジュールは、
前記空冷ファンの前方に位置する前記モジュール立設後部に通風口が貫通されている、
請求項２に記載のサーバーエンクロージャー。
【請求項４】
前記空冷ファンは、
前記エンクロージャーハウジングの後面開口部の上側および下側に前記上側後面開口および前記下側後面開口を介することなく位置している大型空冷ファンと、
前記エンクロージャーハウジングの後面開口部の上側および下側に前記上側後面開口および前記下側後面開口を介して位置している小型空冷ファンと、を有している、
請求項１ないし３の何れか一項に記載のサーバーエンクロージャー。
【請求項５】
前記空冷ファンは、
前記エンクロージャーハウジングの後面開口部の上側に前記上側後面開口を介することなく下側に前記下側後面開口を介して位置している上側空冷ファンと、
前記エンクロージャーハウジングの後面開口部の上側に前記上側後面開口を介して下側に前記下側後面開口を介することなく位置している下側空冷ファンと、を有している、
請求項１ないし３の何れか一項に記載のサーバーエンクロージャー。
【請求項６】
前記エンクロージャーハウジングは、前記モジュール挿抜部が上下二段かつ左右二列に形成されており、
前記下側サーバーモジュールは、前記エンクロージャーハウジングの下側左右の前記モジュール挿抜部の各々に前後方向に着脱自在に個々に挿抜されて前記電源ユニットに導通している左右一対からなり、
前記下側インターフェイスユニットは、左右一対の前記下側サーバーモジュールの各々の後端に個々に搭載されていて左右一対の前記下側後面開口の各々に前後方向に出没自在に個々に位置しており、
前記上側サーバーモジュールは、前記エンクロージャーハウジングの上側左右の前記モジュール挿抜部の各々に前後方向に着脱自在に個々に挿抜されて前記電源ユニットに導通している左右一対からなり、
前記上側インターフェイスユニットは、左右一対の前記上側サーバーモジュールの各々の後端に個々に搭載されていて左右一対の前記上側後面開口の各々に前後方向に出没自在に個々に位置している、
請求項１ないし５の何れか一項に記載のサーバーエンクロージャー。
【請求項７】
前記電源ユニットは、上下一対からなり、
上下一対の前記電源ユニットに上下左右の前記サーバーモジュールを複数対複数に冗長接続する冗長送電機構を有している、
請求項６に記載のサーバーエンクロージャー。
【請求項８】
前面開口部および後面開口部が形成されているとともにモジュール挿抜部が上下二段に形成されており、
前記モジュール挿抜部に連通する位置で前記後面開口部の左右中央に電源ユニットが位置しており、
上下二段の前記モジュール挿抜部に連通する位置で前記電源ユニットの左右両側で前記エンクロージャーハウジングの後面開口部の少なくとも一部の上側および下側に上側後面開口および下側後面開口を介して空冷ファンが位置している、
エンクロージャーハウジング。
【請求項９】
前記空冷ファンは、
前記エンクロージャーハウジングの後面開口部の上側および下側に前記上側後面開口および前記下側後面開口を介することなく位置している大型空冷ファンと、
前記エンクロージャーハウジングの後面開口部の上側および下側に前記上側後面開口および前記下側後面開口を介して位置している小型空冷ファンと、を有している、
請求項８に記載のエンクロージャーハウジング。
【請求項１０】
前記空冷ファンは、
前記エンクロージャーハウジングの後面開口部の上側に前記上側後面開口を介することなく下側に前記下側後面開口を介して位置している上側空冷ファンと、
前記エンクロージャーハウジングの後面開口部の上側に前記上側後面開口を介して下側に前記下側後面開口を介することなく位置している下側空冷ファンと、を有している、
請求項８に記載のエンクロージャーハウジング。
【請求項１１】
前記モジュール挿抜部が上下二段かつ左右二列に形成されており、
前記電源ユニットは、上下一対からなり、
上下一対の前記電源ユニットに上下左右の前記サーバーモジュールを複数対複数に冗長接続する冗長送電機構を有している、
請求項８ないし１０の何れか一項に記載のエンクロージャーハウジング。
【請求項１２】
請求項１ないし７の何れか一項に記載のサーバーエンクロージャーの上側サーバーモジュールであって、
後部から上方に立設されていて前記空冷ファンの前方に位置するモジュール立設後部と、
前記モジュール立設後部から後方に延設されていて前記空冷ファンの上方に位置するモジュール延設後部と、を有しており、
前記エンクロージャーハウジングの下側の前記モジュール挿抜部に前後方向に着脱自在に挿抜されて前記電源ユニットに電気接続される、
上側サーバーモジュール。
【請求項１３】
前記空冷ファンの前方に位置する前記モジュール立設後部に通風口が貫通されている、
請求項１２に記載の上側サーバーモジュール。
【請求項１４】
請求項７に記載の冗長送電機構であって、
上下一対の前記電源ユニットに上下左右の前記サーバーモジュールを複数対複数に冗長接続する、冗長送電機構。
【請求項１５】
請求項１ないし７の何れか一項に記載の複数のサーバーエンクロージャーと、
複数の前記サーバーエンクロージャーが挿抜自在に装填される複数のエンクロージャー挿抜部が形成されているサーバーラックと、
を有している高密度サーバーシステム。
【発明の詳細な説明】
【技術分野】
【０００１】
本発明は、エンクロージャーエレメントが内部に位置していてサーバーモジュールが挿抜自在に装填されるサーバーエンクロージャー、そのエンクロージャーハウジング、上側サーバーモジュール、および、冗長送電機構、複数のサーバーエンクロージャーが装填されている高密度サーバーシステム、に関する。
【背景技術】
【０００２】
現在、いわゆる高密度サーバシステムは、一般的に複数のサーバーエンクロージャーを有している。その複数のサーバーエンクロージャーの各々は、複数のサーバーモジュールを個々に有している。
【０００３】
より具体的には、上述のような高密度サーバシステムは、サーバーラックを有しており、たとえば、このサーバーラックに、上下方向に複数のエンクロージャー挿抜部を有している。
【０００４】
このようなサーバーラックの複数のエンクロージャー挿抜部の各々に、複数のサーバーエンクロージャーが個々に挿抜自在に装填されている。その複数のサーバーエンクロージャーは、エンクロージャーフレームを有しており、たとえば、このエンクロージャーフレームに、上下左右に複数の前面挿抜部を有している。
【０００５】
このエンクロージャーフレームの複数の前面挿抜部の各々に、複数のサーバーモジュールが個々に挿抜自在に装填されている。このような多数のサーバーモジュールの各々は、ＣＰＵ（Central Processing Unit）やＨＤＤ（Hard Disc Drive）ユニットなどを搭載している。
【０００６】
このように高密度サーバシステムには、多数のサーバーモジュールが実装される。このため、高密度サーバシステムでは、複雑な演算処理を複数のサーバーモジュールで並列処理するようなことができる。
【０００７】
なお、サーバーモジュールは必然的に電力を必要とし、演算処理により高熱を発生する。このため、高密度サーバシステムのサーバーエンクロージャーは、電源ユニットと空冷ファンも搭載している。
【０００８】
そのレイアウトには各種あるが、たとえば、サーバーエンクロージャーの後面に後面開口部を形成しておき、そこに電源ユニットと空冷ファンとを配置したものがある。この場合、サーバーモジュールの前面に、ＨＤＤユニットや操作パネルの他、Ｉ／Ｏ（Input/Output）ポートやＬＡＮ（Local Area Network）コネクタやＰＣＩ（Peripheral Component Interconnect）スロットなどの、外部インターフェイスも配置することになる(たとえば、非特許文献１参照)。
【０００９】
このようなサーバーエンクロージャーでは、利用者は前面でＨＤＤユニットや操作パネルに容易にアクセスすることができ、外部インターフェイスに着脱自在に接続する各種の外部配線も、前面に集約させることになる。
【００１０】
一方、高密度サーバーシステムのサーバーモジュールの各々に、電源ユニットと空冷ファンとを搭載したものもある。この場合、サーバーモジュールの中央領域に電源ユニットと空冷ファンとを配置することができる(たとえば、非特許文献２参照)。
【００１１】
このため、サーバーモジュールの前面に、ＨＤＤユニットや操作パネルを配置することができ、サーバーモジュールの後面に、Ｉ／ＯポートやＬＡＮコネクタやＰＣＩスロットなどの外部インターフェイスを配置することができる。
【００１２】
また、サーバーエンクロージャーの内部に空冷ファンを配列しておき、その前方にＨＤＤユニットや操作パネルを配置するとともに、その後方にサーバーモジュールを配置したものもある(たとえば、非特許文献３参照)。
【００１３】
この場合も、サーバーモジュールの前面に、ＨＤＤユニットや操作パネルを配置することができ、サーバーモジュールの後面に、Ｉ／ＯポートやＬＡＮコネクタやＰＣＩスロットなどの外部インターフェイスを配置することができる。
【００１４】
上述のような高密度サーバーシステムでは、利用者は前面でＨＤＤユニットや操作パネルに容易にアクセスすることができ、外部インターフェイスに着脱自在に接続する各種の外部配線は、後面に集約させることができる。
【先行技術文献】
【非特許文献】
【００１５】
【非特許文献１】“HP ProLiant SL6500 Scalable System technologies”、Hewlett-Packard Development Company(登録商標)、［２０１２年０７月０６日検索］インターネット<ＵＲＬ：http://h20000.www2.hp.com/bc/docs/support/SupportManual/c02664768/c02664768.pdf>
【非特許文献２】“YR190-B7018 Service Engineer’s Manual”、TYAN(登録商標)社、［２０１２年０７月０６日検索］インターネット<ＵＲＬ：http://www.tyan.com/manuals/B7018Y190X2_UG_v1.1a.pdf>
【非特許文献３】“PowerEdge C6100ラックサーバ”、DELL(登録商標)社、［２０１２年０７月０６日検索］インターネット<ＵＲＬ：http://www.dell.com/jp/enterprise/p/poweredge-c6100/pd#>
【発明の概要】
【発明が解決しようとする課題】
【００１６】
しかしながら、非特許文献１に記載の技術のように、サーバーエンクロージャーの後面開口部に電源ユニットと空冷ファンとを配置し、サーバーモジュールの前面に外部インターフェイスも配置したものでは、この外部インターフェイスに接続する各種の外部配線も前面に集約させる必要がある。
【００１７】
この外部インターフェイスに接続する各種の外部配線のため、サーバーエンクロージャーの前面が雑然となる。このため、外部インターフェイスに接続した多数の外部配線が、ＨＤＤユニットや操作パネルへのアクセスを阻害することになる。
【００１８】
また、非特許文献２に記載の技術のように、サーバーモジュールの中央領域に電源ユニットと空冷ファンとを配置したものでは、多数のサーバーモジュールごとに電源ユニットと空冷ファンとを用意する必要がある。
【００１９】
このため、サーバーモジュールの実行面積が阻害されることになる。しかも、大型の電源ユニットや大型の空冷ファンを複数のサーバーモジュールで共用するようなこともできない。
【００２０】
また、非特許文献３に記載の技術のように、サーバーエンクロージャーの内部に空冷ファンを配列しておき、その前方にＨＤＤユニットや操作パネルを配置するとともに、その後方にサーバーモジュールを配置したものでは、ＨＤＤユニットや操作パネルへのアクセスは容易であるが、サーバーモジュールの挿抜は極度に困難となる。
【００２１】
本発明は上述のような課題に鑑みてなされたものであり、上述のような課題を解決するサーバーエンクロージャー、そのエンクロージャーハウジング、上側サーバーモジュール、および、冗長送電機構、複数のサーバーエンクロージャーを装填している高密度サーバーシステム、を提供するものである。
【課題を解決するための手段】
【００２２】
本発明のサーバーエンクロージャーは、前面開口部および後面開口部が形成されているとともにモジュール挿抜部が上下二段に形成されているエンクロージャーハウジングと、前記モジュール挿抜部に連通する位置で前記エンクロージャーハウジングの後面開口部の左右中央に位置している電源ユニットと、上下二段の前記モジュール挿抜部に連通する位置で前記電源ユニットの左右両側で前記エンクロージャーハウジングの後面開口部の少なくとも一部の上側および下側に上側後面開口および下側後面開口を介して位置している空冷ファンと、前記エンクロージャーハウジングの下側の前記モジュール挿抜部に前後方向に着脱自在に挿抜されて前記電源ユニットに導通している下側サーバーモジュールと、前記下側サーバーモジュールの後端に搭載されていて前記下側後面開口に前後方向に出没自在に位置している下側インターフェイスユニットと、前記エンクロージャーハウジングの上側の前記モジュール挿抜部に前後方向に着脱自在に挿抜されて前記電源ユニットに導通している上側サーバーモジュールと、前記上側サーバーモジュールの後端に個々に搭載されていて前記上側後面開口に前後方向に出没自在に位置している上側インターフェイスユニットと、を有している。
【００２３】
本発明のエンクロージャーハウジングは、前面開口部および後面開口部が形成されているとともにモジュール挿抜部が上下二段に形成されており、前記モジュール挿抜部に連通する位置で前記後面開口部の左右中央に電源ユニットが位置しており、上下二段の前記モジュール挿抜部に連通する位置で前記電源ユニットの左右両側で前記エンクロージャーハウジングの後面開口部の少なくとも一部の上側および下側に上側後面開口および下側後面開口を介して空冷ファンが位置している。
【００２４】
本発明の上側サーバーモジュールは、本発明のサーバーエンクロージャーの上側サーバーモジュールであって、後部から上方に立設されていて前記空冷ファンの前方に位置するモジュール立設後部と、前記モジュール立設後部から後方に延設されていて前記空冷ファンの上方に位置するモジュール延設後部と、を有しており、前記エンクロージャーハウジングの下側の前記モジュール挿抜部に前後方向に着脱自在に挿抜されて前記電源ユニットに電気接続される。
【００２５】
本発明の冗長送電機構は、本発明のサーバーエンクロージャーの冗長送電機構であって、上下一対の前記電源ユニットに上下左右の前記サーバーモジュールを複数対複数に冗長接続する。
【００２６】
本発明の高密度サーバーシステムは、本発明の複数のサーバーエンクロージャーと、複数の前記サーバーエンクロージャーが挿抜自在に装填される複数のエンクロージャー挿抜部が形成されているサーバーラックと、を有している高密度サーバーシステム。
【発明の効果】
【００２７】
本発明のサーバーエンクロージャーでは、サーバーエンクロージャーの後面開口部に電源ユニットと空冷ファンとを配置し、サーバーモジュールの前面にＨＤＤユニットや操作パネルの他、Ｉ／Ｏポートなどの外部インターフェイスも配置する必要がない。
【００２８】
したがって、サーバーエンクロージャーの前面が雑然となることがなく、外部インターフェイスに接続された多数の外部配線が、ＨＤＤユニットや操作パネルへのアクセスを阻害することを防止できる。
【００２９】
また、高密度サーバーシステムのサーバーモジュールの各々に、電源ユニットと空冷ファンとを搭載していないので、サーバーモジュールの実行面積の阻害を防止することができ、大型の電源ユニットや大型の空冷ファンを複数のサーバーモジュールで共用するようなこともできる。
【００３０】
また、サーバーモジュールはエンクロージャーハウジングの前面開口部に挿抜自在に装填されているので、サーバーモジュールを容易に挿抜してメンテナンス作業などを実行することができる。
【図面の簡単な説明】
【００３１】
【図１】本発明の実施の第一の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【図２】本発明の実施の第二の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【図３】本発明の実施の第二の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【図４】本発明の実施の第二の形態のサーバーエンクロージャーの上下二段のモジュール挿抜部の各々に下側サーバーモジュールおよび上側サーバーモジュールを個々に設置した状態を示す模式的な縦断側面図である。
【図５】本発明の実施の第二の形態のサーバーエンクロージャーの上下二段のモジュール挿抜部の各々から下側サーバーモジュールおよび上側サーバーモジュールを個々に抜去した状態を示す模式的な縦断側面図である。
【図６】本発明の実施の第二の形態のサーバーエンクロージャーの下側の左右一対のモジュール挿抜部に下側サーバーモジュールを設置する状態を示す模式的な横断平面図である。
【図７】本発明の実施の第二の形態のサーバーエンクロージャーの上側の左右一対のモジュール挿抜部に上側サーバーモジュールを設置する状態を示す模式的な横断平面図である。
【図８】本発明の実施の第二の形態のサーバーエンクロージャーの冗長送電機構であるパワーディストリビューションユニットの構造を示す模式的な斜視図である。
【図９】本発明の実施の第二の形態のサーバーエンクロージャーを高密度サーバーシステムのサーバーラックに装填する状態を示す模式的な分解斜視図である。
【図１０】本発明の実施の第二の形態の一変形例のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【図１１】本発明の実施の第三の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【図１２】本発明の実施の第三の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【図１３】本発明の実施の第四の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【図１４】本発明の実施の第四の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【発明を実施するための形態】
【００３２】
本発明の実施の第一の形態に関して図１を参照して以下に説明する。なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００３３】
さらには、本発明では鉛直方向となる上下方向だけでなく水平方向で直交する前後方向と左右方向とも規定しているが、これは本発明の構成要素の相対関係を簡単に説明するために便宜的に規定したものであり、本発明を実施する場合の製造時や使用時の方向を限定するものではない。
【００３４】
ただし、本発明で云う前後左右上下の方向とは、完全に幾何学的に直交している必要はなく、相対的に前後左右上下となる方向となっていればよく、たとえば、各方向が任意の方向に傾斜していてもよい。また、本発明で云う左右一対とは、左右方向に少なくとも一対であることを意味しており、このような左右一対の構成が上下複数に配列されていることも許容する。
【００３５】
なお、図１は、本発明の実施の第一の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【００３６】
本実施の形態のサーバーエンクロージャー１００は、エンクロージャーハウジング１１０と、電源ユニットであるパワーサプライユニット１４０と、空冷ファン１５０と、下側サーバーモジュール１２０と、下側インターフェイスユニット１２３と、上側サーバーモジュール１３０と、上側インターフェイスユニット１３３と、を主要部分として有している。
【００３７】
エンクロージャーハウジング１１０は、前面開口部１１１および後面開口部１１２が形成されていてモジュール挿抜部１１３が上下二段に形成されている。パワーサプライユニット１４０は、モジュール挿抜部１１３に連通する位置でエンクロージャーハウジング１１０の後面開口部１１２の左右中央に位置している。
【００３８】
空冷ファン１５０は、上下二段のモジュール挿抜部１１３に連通する位置でパワーサプライユニット１４０の左右両側でエンクロージャーハウジング１１０の後面開口部１１２の少なくとも一部の上側および下側に上側後面開口１１５および下側後面開口１１４を介して位置している。
【００３９】
下側サーバーモジュール１２０は、エンクロージャーハウジング１１０の下側のモジュール挿抜部１１３に前後方向に着脱自在に挿抜されてパワーサプライユニット１４０に導通している。下側インターフェイスユニット１２３は、下側サーバーモジュール１２０の後端に搭載されていて下側後面開口１１４に前後方向に出没自在に位置している。
【００４０】
上側サーバーモジュール１３０は、エンクロージャーハウジング１１０の上側のモジュール挿抜部１１３に前後方向に着脱自在に挿抜されてパワーサプライユニット１４０に導通している。上側インターフェイスユニット１３３は、上側サーバーモジュール１３０の後端に個々に搭載されていて上側後面開口１１５に前後方向に出没自在に位置している。
【００４１】
上述のような構成において、本実施の形態のサーバーエンクロージャー１００では、前述のようにエンクロージャーハウジング１１０にモジュール挿抜部１１３が上下二段に形成されており、これら上下二段のモジュール挿抜部１１３に連通する位置で、空冷ファン１５０は、エンクロージャーハウジング１１０の後面開口部１１２に上側後面開口１１５および下側後面開口１１４を介して位置している。
【００４２】
エンクロージャーハウジング１１０の下側のモジュール挿抜部１１３に前後方向に着脱自在に挿抜される下側サーバーモジュール１２０の後端に下側インターフェイスユニット１２３が搭載されており、この下側インターフェイスユニット１２３が下側後面開口１１４に前後方向に出没自在に配置される。
【００４３】
エンクロージャーハウジング１１０の上側のモジュール挿抜部１１３に前後方向に着脱自在に挿抜される上側サーバーモジュール１３０の後端に上側インターフェイスユニット１３３が搭載されており、この上側インターフェイスユニット１３３が上側後面開口１１５に前後方向に出没自在に配置される。
【００４４】
このため、本実施の形態のサーバーエンクロージャー１００では、このため、サーバーエンクロージャー１００の後面開口部１１２の全域にパワーサプライユニット１４０と空冷ファン１５０とを配置せず、空冷ファン１５０の上下に位置する上側後面開口１１５および下側後面開口１１４に、上側サーバーモジュール１３０および下側サーバーモジュール１２０の下側インターフェイスユニット１２３を配置している。
【００４５】
したがって、サーバーエンクロージャー１００の後部で上側インターフェイスユニット１３３および下側インターフェイスユニット１２３に外部配線を接続することができる。このため、サーバーエンクロージャー１００に装填された上側サーバーモジュール１３０および下側サーバーモジュール１２０に接続する外部配線を、エンクロージャーハウジング１１０の後側に集約することができる。
【００４６】
したがって、前述のように上側サーバーモジュール１３０および下側サーバーモジュール１２０を前方に抜去できるようにして、前面での作業性を向上させるとともに、その作業性を外部配線が阻害することを確実に防止することができる。
【００４７】
さらには、パワーサプライユニット１４０はエンクロージャーハウジング１１０の後端に位置しており、上側サーバーモジュール１３０や下側サーバーモジュール１２０はエンクロージャーハウジング１１０の前面開口部１１１に挿抜自在に装填されている。このため、図１および図７に示すように、上側サーバーモジュール１３０や下側サーバーモジュール１２０も容易に挿抜してメンテナンス作業などを実行することができる。
【００４８】
また、サーバーエンクロージャー１００の上側サーバーモジュール１３０や下側サーバーモジュール１２０の各々に、パワーサプライユニット１４０を搭載していないので、上側サーバーモジュール１３０や下側サーバーモジュール１２０の実行面積の阻害を防止することができる。このため、大型のパワーサプライユニット１４０を複数の上側サーバーモジュール１３０および下側サーバーモジュール１２０で共用することができる。
【００４９】
つぎに、本発明の実施の第二の形態に関して図２ないし図９を参照して以下に説明する。なお、これより以下の実施の形態に関し、前述した第一の形態と同一の部分は、同一の名称および符号を使用して詳細な説明は省略する。
【００５０】
図２および図３は、本発明の実施の第二の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【００５１】
図４は、サーバーエンクロージャーの上下二段のモジュール挿抜部の各々に下側サーバーモジュールおよび上側サーバーモジュールを個々に設置した状態を示す模式的な縦断側面図、図５は、下側サーバーモジュールおよび上側サーバーモジュールを抜去した状態を示す模式的な縦断側面図、である。
【００５２】
図６は、サーバーエンクロージャーの下側の左右一対のモジュール挿抜部に下側サーバーモジュールを設置する状態を示す模式的な横断平面図、図７は、上側の左右一対のモジュール挿抜部に上側サーバーモジュールを設置する状態を示す模式的な横断平面図、である。
【００５３】
図８は、サーバーエンクロージャーの冗長送電機構であるパワーディストリビューションユニットの構造を示す模式的な斜視図、図９は、サーバーエンクロージャーを高密度サーバーシステムのサーバーラックに装填する状態を示す模式的な分解斜視図、である。
【００５４】
本実施の形態のサーバーエンクロージャー１００も、図２に示すように、エンクロージャーハウジング１１０と、電源ユニットであるパワーサプライユニット１４０と、空冷ファン１５０と、下側サーバーモジュール１２０と、下側インターフェイスユニット１２３と、上側サーバーモジュール１３０と、上側インターフェイスユニット１３３と、を主要部分として有している。
【００５５】
本実施の形態の高密度サーバーシステム１は、図９に示すように、複数のサーバーエンクロージャー１００と、サーバーラック１０と、を有している。サーバーラック１０には、複数のエンクロージャー挿抜部１１が上下方向に形成されており、これら複数のエンクロージャー挿抜部１１の各々に、複数のサーバーエンクロージャー１００が挿抜自在に個々に装填されている。
【００５６】
このような本実施の形態のサーバーエンクロージャー１００は、図２ないし図７に示すように、従来と同様に、一個のエンクロージャーハウジング１１０と、左右一対の下側サーバーモジュール１２０と、左右一対の上側サーバーモジュール１３０と、を主要部分として有している。
【００５７】
エンクロージャーハウジング１１０は、上下方向に扁平なボックス状に形成されており、前面開口部１１１および後面開口部１１２が形成されている。その内部には、モジュール挿抜部１１３が上下二段かつ左右一対に形成されている。
【００５８】
エンクロージャーハウジング１１０の内部には、上下二段の電源ユニット１４０、左右四列の空冷ファン１５０、一個の冗長送電機構であるパワーディストリビューションユニット１６０、が位置している。
【００５９】
上下二段の電源ユニット１４０は、上下二段かつ左右一対のモジュール挿抜部１１３に連通する位置で、エンクロージャーハウジング１１０の後面開口部１１２の左右中央に位置している。
【００６０】
パワーディストリビューションユニット１６０は、図２および図８などに示すように、たとえば、上下二枚のプリント配線基板を鉛直に立設させた一枚のプリント配線基板で接続したような構造に形成されている。
【００６１】
このような構造のパワーディストリビューションユニット１６０は、前側に前側コネクタ１６１が上下二段かつ左右一対に形成されており、後側に後側コネクタ１６２が上下二段に形成されている。
【００６２】
このため、このパワーディストリビューションユニット１６０は、上下二段かつ左右一対の前部の前側コネクタ１６１と、上下二段の後部の後側コネクタ１６２と、を複数対複数に冗長接続している。
【００６３】
左右四列の空冷ファン１５０は、上下二段のモジュール挿抜部１１３に連通する位置で、図３ないし図５に示すように、電源ユニット１４０の左右両側でエンクロージャーハウジング１１０の後面開口部１１２の下側および上側に、下側後面開口１１４および上側後面開口１１５を介して位置している。
【００６４】
左右一対の下側サーバーモジュール１２０は、図２および図４ないし図６に示すように、エンクロージャーハウジング１１０の下側の左右一対のモジュール挿抜部１１３に、前後方向に着脱自在に個々に挿抜される。
【００６５】
下側サーバーモジュール１２０は、図２ないし図６に示すように、一枚のモジュールトレー１２１と、左右二列のＨＤＤユニット１７１と、一個のＨＤＤコネクタ１７２と、一個の操作パネル１７３と、一個のマザーボード１７４と、複数のコンピュータユニット１７５と、各種のオプションユニット１７６と、一個の接続コネクタ１２２と、一個の下側インターフェイスユニット１２３と、などを主要部分として有している。
【００６６】
モジュールトレー１２１は、エンクロージャーハウジング１１０の前面開口部１１１からモジュール挿抜部１１３に前方から挿抜自在な平面形状の平板状に形成されており、左右一対の下側サーバーモジュール１２０で左右対象に形成されている。
【００６７】
上述のような各種ユニット１７１〜１７４，１２２，１２３は、モジュールトレー１２１の上面に搭載されており、複数のコンピュータユニット１７５と各種のオプションユニット１７６とは、マザーボード１７４に実装されている。マザーボード１７４は、プリント配線基板などからなり、左右一対の下側サーバーモジュール１２０で同一構造に形成されている。
【００６８】
二個のＨＤＤユニット１７１は、モジュールトレー１２１の前端に左右に位置しており、その後側に位置するＨＤＤコネクタ１７２と着脱自在に接続されている。このＨＤＤコネクタ１７２は、接続コネクタ１２２に導通している。
【００６９】
操作パネル１７３は、二個のＨＤＤユニット１７１の側方に位置しており、前述のような稼働する各種ユニットと適宜接続されている（図示せず）。複数の空冷ファン１５０は、ＨＤＤコネクタ１７２の後方に、左右方向に配列されている。
【００７０】
コンピュータユニット１７５は、たとえば、いわゆるＣＰＵを中心としたワンチップマイコンなどからなり、オプションユニット１７６は、たとえば、ディスクコントローラなどからなる。
【００７１】
接続コネクタ１２２は、右側の下側サーバーモジュール１２０では左縁部の略中央の角部に、左側の下側サーバーモジュール１２０では右縁部の略中央の角部に、位置しており、ＨＤＤコネクタ１７２とマザーボード１７４とに導通している。
【００７２】
接続コネクタ１２２は、エンクロージャーハウジング１１０の前面開口部１１１からモジュール挿抜部１１３に下側サーバーモジュール１２０が装填されることにより、パワーディストリビューションユニット１６０の前側の四個の前側コネクタ１６１の一個と接続コネクタ１２２で接続される。
【００７３】
この場合、モジュール挿抜部１１３に装填された下側サーバーモジュール１２０は、パワーディストリビューションユニット１６０により、上下一対の電源ユニット１４０に冗長接続される。
【００７４】
さらには、下側のモジュール挿抜部１１３に下側サーバーモジュール１２０が装填されると、図３および図４および図６に示すように、下側サーバーモジュール１２０の下側インターフェイスユニット１２３が、エンクロージャーハウジング１１０の後面開口部１１２の電源ユニット１４０の左右両側で空冷ファン１５０より下側の、下側後面開口１１４に配置される。
【００７５】
左右一対の上側サーバーモジュール１３０は、図２および図４および図５および図７に示すように、エンクロージャーハウジング１１０の上側の左右一対のモジュール挿抜部１１３に、前後方向に着脱自在に個々に挿抜される。
【００７６】
上側サーバーモジュール１３０も、上述した下側サーバーモジュール１２０と同様に、図２ないし図６に示すように、一枚のモジュールトレー１３１と、左右二列のＨＤＤユニット１７１と、一個のＨＤＤコネクタ１７２と、一個の操作パネル１７３と、一個のマザーボード１７４と、複数のコンピュータユニット１７５と、各種のオプションユニット１７６と、一個の接続コネクタ１２２と、一個の上側インターフェイスユニット１３３と、などを主要部分として有している。
【００７７】
そして、左右一対の上側サーバーモジュール１３０は、下側サーバーモジュール１２０と同様に、エンクロージャーハウジング１１０の上側のモジュール挿抜部１１３に前後方向に着脱自在に挿抜されて上下一対の電源ユニット１４０に冗長接続されている。
【００７８】
さらには、上側サーバーモジュール１３０は、下側サーバーモジュール１２０と同様に、モジュールトレー１３１は、ＨＤＤコネクタ１７２やマザーボード１７４が搭載されている略水平なモジュール本体部１３４を有する。
【００７９】
しかしながら、下側サーバーモジュール１２０とは相違して、このモジュール本体部１３４の後端から上方に略鉛直に、モジュール立設後部１３５が立設されており、このモジュール立設後部１３５の上端から後方に略水平に、モジュール延設後部１３６が延設されている。
【００８０】
そして、このモジュール延設後部１３６の後端に、上側インターフェイスユニット１３３が搭載されている。このような構造により、上側サーバーモジュール１３０の上側インターフェイス１３３は、下側後面開口１１４に前後方向に出没自在に位置している。
【００８１】
上述のような上側サーバーモジュール１３０では、モジュール立設後部１３５は、後部から上方に立設されていて空冷ファン１５０の前方に位置することになる。そこで、本実施の形態のサーバーエンクロージャー１００の内側サーバーモジュール１５０では、図２および図３に示すように、モジュール立設後部１３５に左右方向に複数の通風口１３７が縦長のスリット状に貫通してある。
【００８２】
そこで、上側サーバーモジュール１３０のＨＤＤユニット１７１やコンピュータユニット１７５などと上側インターフェイスユニット１３３とは、モジュール立設後部１３５の複数の通風口１３７の複数の間隙を経由して導通している（図示せず）。
【００８３】
上述のような構成において、本実施の形態の高密度サーバーシステム１は、一個のサーバーラック１０に、図９に示すように、たとえば、上下四段にサーバーエンクロージャー１００が挿抜自在に装填されており、これら複数のサーバーエンクロージャー１００の各々に、図２ないし図７に示すように、上下左右に四個の下側サーバーモジュール１２０が挿抜自在に装填されている。
【００８４】
このような高密度サーバーシステム１は、上述のように実装されている多数の下側サーバーモジュール１２０が並列処理を実行することができるので、複雑な演算処理や複数の演算処理を高速に実行することができる。
【００８５】
本実施の形態のサーバーエンクロージャー１００では、前述のようにエンクロージャーハウジング１１０にモジュール挿抜部１１３が上下二段に形成されており、これら上下二段のモジュール挿抜部１１３に連通する位置で、空冷ファン１５０は、エンクロージャーハウジング１１０の後面開口部１１２に上側後面開口１１５および下側後面開口１１４を介して位置している。
【００８６】
エンクロージャーハウジング１１０の下側のモジュール挿抜部１１３に前後方向に着脱自在に挿抜される下側サーバーモジュール１２０の後端に下側インターフェイスユニット１２３が搭載されており、この下側インターフェイスユニット１２３が下側後面開口１１４に前後方向に出没自在に配置される。
【００８７】
エンクロージャーハウジング１１０の上側のモジュール挿抜部１１３に前後方向に着脱自在に挿抜される上側サーバーモジュール１３０の後端に上側インターフェイスユニット１３３が搭載されており、この上側インターフェイスユニット１３３が上側後面開口１１５に前後方向に出没自在に配置される。
【００８８】
このため、本実施の形態のサーバーエンクロージャー１００では、このため、サーバーエンクロージャー１００の後面開口部１１２の全域にパワーサプライユニット１４０と空冷ファン１５０とを配置せず、空冷ファン１５０の上下に位置する上側後面開口１１５および下側後面開口１１４に、上側サーバーモジュール１３０および下側サーバーモジュール１２０の下側インターフェイスユニット１２３を配置している。
【００８９】
したがって、サーバーエンクロージャー１００の後部で上側インターフェイスユニット１３３および下側インターフェイスユニット１２３に外部配線を接続することができる。このため、サーバーエンクロージャー１００に装填された上側サーバーモジュール１３０および下側サーバーモジュール１２０に接続する外部配線を、エンクロージャーハウジング１１０の後側に集約することができる。
【００９０】
したがって、前述のように前面にＨＤＤユニット１７１や操作パネル１７３を配置するとともに、上側サーバーモジュール１３０および下側サーバーモジュール１２０を前方に抜去できるようにして、前面での作業性を向上させるとともに、その作業性を外部配線が阻害することを確実に防止することができる。
【００９１】
このため、サーバーエンクロージャー１００の前面が雑然となることがなく、多数の外部配線がＨＤＤユニット１７１や操作パネル１７３へのアクセスを阻害することを防止できる。
【００９２】
なお、上述のような構造を実現するため、上側サーバーモジュール１３０のモジュールトレー１３１では、空冷ファン１５０の前方にモジュール立設後部１３５が位置することになる。
【００９３】
しかしながら、このモジュール立設後部１３５には、複数の通風口１３７が貫通してある。このため、空冷ファン１５０の送風は、上側サーバーモジュール１３０のモジュール立設後部１３５の通風口１３７を通過してマザーボード１７４やＨＤＤユニット１７１に供給されることになり、これらを良好に空冷することができる。
【００９４】
とくに、モジュール立設後部１３５には、左右方向に複数の通風口１３７が縦長のスリット状に貫通してある。このため、上側サーバーモジュール１３０のＨＤＤユニット１７１やコンピュータユニット１７５などと上側インターフェイスユニット１３３とは、モジュール立設後部１３５の複数の通風口１３７の複数の間隙を経由して問題なく導通することができる。
【００９５】
このため、本実施の形態のサーバーエンクロージャー１００では、エンクロージャーハウジング１１０に上側サーバーモジュール１３０や下側サーバーモジュール１２０を装填したまま、そのＨＤＤユニット１７１を抜去してメンテナンス作業などを容易に実行することもできる。
【００９６】
さらには、パワーサプライユニット１４０はエンクロージャーハウジング１１０の後端に位置しており、上側サーバーモジュール１３０や下側サーバーモジュール１２０はエンクロージャーハウジング１１０の前面開口部１１１に挿抜自在に装填されている。このため、図２および図７に示すように、上側サーバーモジュール１３０や下側サーバーモジュール１２０も容易に挿抜してメンテナンス作業などを実行することができる。
【００９７】
また、サーバーエンクロージャー１００の上側サーバーモジュール１３０や下側サーバーモジュール１２０の各々に、パワーサプライユニット１４０を搭載していないので、上側サーバーモジュール１３０や下側サーバーモジュール１２０の実行面積の阻害を防止することができる。このため、大型のパワーサプライユニット１４０を複数の上側サーバーモジュール１３０および下側サーバーモジュール１２０で共用することができる。
【００９８】
特に、本実施の形態のサーバーエンクロージャー１００では、パワーディストリビューションユニット１６０が、左右一対の上側サーバーモジュール１３０および下側サーバーモジュール１２０と、上下二段のパワーサプライユニット１４０と、を複数対複数に冗長接続している。
【００９９】
したがって、たとえば、四個の下側／上側サーバーモジュール１２０，１３０の一部や、二個のパワーサプライユニット１４０の一方に、電気的な不具合が発生しても、サーバーエンクロージャー１００の全体が一度にダウンすることがない。
【０１００】
さらには、本実施の形態のサーバーエンクロージャー１００では、上側サーバーモジュール１３０および下側サーバーモジュール１２０では、左右一対のモジュールトレー１３１，１２１は左右対象に形成されている。
【０１０１】
しかしながら、この左右対象のモジュールトレー１３１，１２１に搭載されているマザーボード１７４には、コンピュータユニット１７５やオプションユニット１７６などが同一レイアウトに搭載されている。
【０１０２】
つまり、左右対象の上側サーバーモジュール１３０および下側サーバーモジュール１２０で、コンピュータユニット１７５やオプションユニット１７６などが搭載されたマザーボード１７４を共通に利用することができるので、その生産性が良好である。
【０１０３】
なお、本発明は上記形態に限定されるものではなく、その要旨を逸脱しない範囲で各種の変形を許容する。たとえば、上記形態では、上側サーバーモジュール１３０のモジュール立設後部１３５に、左右方向に複数の通風口１３７が縦長のスリット状に貫通してあることを例示した。
【０１０４】
しかしながら、図１０に例示するサーバーエンクロージャー２００のように、上側サーバーモジュール２１０のサーバートレイ２１１のモジュール立設後部２１２に、横長の矩形の大型の通風口２１３が貫通してあってもよい。
【０１０５】
この場合、上側サーバーモジュール２１０のＨＤＤユニット１７１やコンピュータユニット１７５などと上側インターフェイスユニット１３３との結線は容易ではなくなるが、空冷ファン１５０の送風を大型の通風口２１３からマザーボード１７４やＨＤＤユニット１７１に良好に供給して空冷することができる。
【０１０６】
つまり、上述した上側サーバーモジュール１３０，２１０は相互に一長一短があるので、要求される空冷性能や配線レイアウトなどを考慮して、最適な一方を選定すればよい。なお、上述のような通風口としては、さらに各種形状とすることもでき、たとえば、多数の小孔を縦横に形成してもよい（図示せず）。
【０１０７】
また、上記形態では、図９に示すように、高密度サーバーシステム１のサーバーラック１０に四個のエンクロージャー挿抜部１１が上下方向に装填されており、これら四個のエンクロージャー挿抜部１１の各々に、四個のサーバーエンクロージャー１００が上下左右に装填されていることを例示した。しかしながら、当然ながら上述のような各部の数値やレイアウトは、本願発明の条件を満足する範囲で各種に変更することができる。
【０１０８】
つぎに、本実施の形態の実施の第三の形態に関して図１１および図１２を参照して以下に説明する。なお、図１１および図１２は、本発明の実施の第三の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【０１０９】
本実施の形態のサーバーエンクロージャー２２０でも、前述したサーバーエンクロージャー１００と同様に、パワーサプライユニット１４０の左右両側でエンクロージャーハウジング１１０の後面開口部１１２の左右に、二個の空冷ファン２２１，２２２が配列されている。
【０１１０】
ただし、本実施の形態のサーバーエンクロージャー２２０では、右側に大型の空冷ファン２２１が位置しており、左側に小型の空冷ファン２２２が位置している。このため、この小型の空冷ファン２２２の上下に、上側後面開口２２３および下側後面開口２２４が確保されている。
【０１１１】
そこで、上側サーバーモジュール２３０は、モジュールトレー２３１のモジュール立設後部２３２およびモジュール延設後部２３３と、上側インターフェイスユニット２３４とが、前述した上側サーバーモジュール１３０に比較して略左半分の横幅に形成されている。
【０１１２】
同様に、下側サーバーモジュール２４０も、モジュールトレー２４１の後部と、下側インターフェイスユニット２４４とが、前述した下側サーバーモジュール１２０に比較して略左半分の横幅に形成されている。
【０１１３】
上述のような構成において、本実施の形態のサーバーエンクロージャー２２０では、エンクロージャーハウジング１１０の後面開口部１１２のパワーサプライユニット１４０の両側スペースの、右側に大型の空冷ファン２２１が位置しており、左側に小型の空冷ファン２２２が、上側後面開口２２３および下側後面開口２２４を介して位置している。
【０１１４】
このため、エンクロージャーハウジング１１０の下側のモジュール挿抜部１１３に挿抜される下側サーバーモジュール２４０の略左半部の下側インターフェイスユニット２４４は、下側後面開口２２４に前後方向に出没自在に配置される。
【０１１５】
同様に、エンクロージャーハウジング１１０の上側のモジュール挿抜部１１３に挿抜される上側サーバーモジュール２３０の略左半部の上側インターフェイスユニット２３４も、上側後面開口２２３に前後方向に出没自在に配置される。
【０１１６】
したがって、本実施の形態のサーバーエンクロージャー２２０も、後部で上側インターフェイスユニット２３４および下側インターフェイスユニット２４４に外部配線を接続することができる。
【０１１７】
このため、前面にＨＤＤユニット１７１や操作パネル１７３を配置するとともに、上側サーバーモジュール２３０および下側サーバーモジュール２４０を前方に抜去できるようにして、前面での作業性を向上させるとともに、その作業性を外部配線が阻害することを確実に防止することができる。
【０１１８】
なお、本実施の形態のサーバーエンクロージャー２２０では、大型の空冷ファン２２１は従来と同様に、上側サーバーモジュール２３０と下側サーバーモジュール２４０とを直接に空冷することができる。
【０１１９】
また、本実施の形態のサーバーエンクロージャー２２０では、左右一対の上側サーバーモジュール２３０を同一構造に形成することができ、左右一対の下側サーバーモジュール２４０を同一構造に形成することができるので、その生産性が良好である。
【０１２０】
なお、本発明は上記形態に限定されるものではなく、その要旨を逸脱しない範囲で各種の変形を許容する。たとえば、上記形態では、左右一対の上側サーバーモジュール２３０が同一構造に形成されており、左右一対の下側サーバーモジュール２４０が同一構造に形成されており、サーバーエンクロージャー２２０の全体が左右非対称に形成されていることを例示した。
【０１２１】
しかしながら、大型の空冷ファン２２１と小型の空冷ファン２２２とを左右対象に配置し、左右一対の上側サーバーモジュールを左右対称に形成し、左右一対の下側サーバーモジュールを左右対称に形成し、サーバーエンクロージャーの全体を左右対称に形成してもよい（図示せず）。
【０１２２】
つぎに、本実施の形態の実施の第四の形態に関して図１３および図１４を参照して以下に説明する。なお、図１３および図１４は、本発明の実施の第四の形態のサーバーエンクロージャーの上下二段かつ左右一対のモジュール挿抜部の各々に左右一対の下側サーバーモジュールおよび左右一対の上側サーバーモジュールを個々に設置する状態を示す模式的な分解斜視図である。
【０１２３】
本実施の形態のサーバーエンクロージャー２５０でも、前述したサーバーエンクロージャー１００と同様に、パワーサプライユニット１４０の左右両側でエンクロージャーハウジング１１０の後面開口部１１２の左右に、二個の空冷ファン２５１が配列されている。
【０１２４】
ただし、本実施の形態のサーバーエンクロージャー２５０では、同一サイズの空冷ファン２５１が、右側では上方に位置して下側に下側後面開口２５２が確保されており、左側では下方に位置して上側に上側後面開口２５３が確保されている。
【０１２５】
そこで、上側サーバーモジュール２３０は、モジュールトレー２３１のモジュール立設後部２３２およびモジュール延設後部２３３と、上側インターフェイスユニット２３４とが、前述した上側サーバーモジュール１３０に比較して略左半分の横幅に形成されている。
【０１２６】
一方、下側サーバーモジュール２６０は、モジュールトレー２６１の後部と、下側インターフェイスユニット２６４とが、前述した下側サーバーモジュール１２０に比較して略右半分の横幅に形成されている。
【０１２７】
上述のような構成において、本実施の形態のサーバーエンクロージャー２５０では、エンクロージャーハウジング１１０の後面開口部１１２のパワーサプライユニット１４０の両側スペースの、右側上方に空冷ファン２５１が下側後面開口２５２を介して位置しており、左側下方に空冷ファン２５１が上側後面開口２２３を介して位置している。
【０１２８】
このため、エンクロージャーハウジング１１０の下側のモジュール挿抜部１１３に挿抜される下側サーバーモジュール２６０の略右半部の下側インターフェイスユニット２６４は、下側後面開口２５２に前後方向に出没自在に配置される。
【０１２９】
同様に、エンクロージャーハウジング１１０の上側のモジュール挿抜部１１３に挿抜される上側サーバーモジュール２３０の略左半部の上側インターフェイスユニット２３４も、上側後面開口２２３に前後方向に出没自在に配置される。
【０１３０】
したがって、本実施の形態のサーバーエンクロージャー２５０も、後部で上側インターフェイスユニット２３４および下側インターフェイスユニット２６４に外部配線を接続することができる。
【０１３１】
このため、前面にＨＤＤユニット１７１や操作パネル１７３を配置するとともに、上側サーバーモジュール２３０および下側サーバーモジュール２６０を前方に抜去できるようにして、前面での作業性を向上させるとともに、その作業性を外部配線が阻害することを確実に防止することができる。
【０１３２】
なお、本実施の形態のサーバーエンクロージャー２５０では、左右に隣接させる空冷ファン２５１を上下に変位させて配置しておくことで、下側後面開口２５２と上側後面開口２２３とを確保している。このため、四個の空冷ファン２５１を均一サイズとすることができ、その生産性が良好である。
【０１３３】
また、本実施の形態のサーバーエンクロージャー２５０では、左右一対の上側サーバーモジュール２３０を同一構造に形成することができ、左右一対の下側サーバーモジュール２６０を同一構造に形成することができるので、その生産性が良好である。
【０１３４】
なお、本発明は上記形態に限定されるものでもなく、その要旨を逸脱しない範囲で各種の変形を許容する。たとえば、上記形態では、左右一対の上側サーバーモジュール２３０が同一構造に形成されており、左右一対の下側サーバーモジュール２６０が同一構造に形成されており、サーバーエンクロージャー２５０の全体が左右非対称に形成されていることを例示した。
【０１３５】
しかしながら、空冷ファン２５１を左右対象に配置し、左右一対の上側サーバーモジュールを左右対称に形成し、左右一対の下側サーバーモジュールを左右対称に形成し、サーバーエンクロージャーの全体を左右対称に形成してもよい（図示せず）。
【０１３６】
また、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０１３７】
１  高密度サーバーシステム
１０  サーバーラック
１１  エンクロージャー挿抜部
１００  サーバーエンクロージャー
１１０  エンクロージャーハウジング
１１１  前面開口部
１１２  後面開口部
１１３  モジュール挿抜部
１１４  下側後面開口
１１５  上側後面開口
１２０  下側サーバーモジュール
１２１  モジュールトレー
１２２  接続コネクタ
１２３  下側インターフェイスユニット
１３０  上側サーバーモジュール
１３１  モジュールトレー
１３３  上側インターフェイスユニット
１３４  モジュール本体部
１３５  モジュール立設後部
１３６  モジュール延設後部
１４０  電源ユニットであるパワーサプライユニット
１５０  空冷ファン
１６０  冗長送電機構であるパワーディストリビューションユニット
１６１  前側コネクタ
１６２  後側コネクタ
１７１  ＨＤＤユニット
１７２  ＨＤＤコネクタ
１７３  操作パネル
１７４  マザーボード
１７５  コンピュータユニット
１７６  オプションユニット
２００  サーバーエンクロージャー
２１０  上側サーバーモジュール
２１１  サーバートレイ
２１２  モジュール立設後部
２１３  通風口
２２０  サーバーエンクロージャー
２２１空冷ファン
２２２  空冷ファン
２２３  上側後面開口
２２４  下側後面開口
２５０  サーバーエンクロージャー
２５１  空冷ファン
２５２  下側後面開口
２５３  上側後面開口
２６０  下側サーバーモジュール
２６１  モジュールトレー
２６４  下側インターフェイスユニット
【要約】
【課題】前面のアクセスが容易で外部配線を後面に集約させることができるサーバーエンクロージャーを提供する。
【解決手段】サーバーエンクロージャー１００は、エンクロージャーハウジング１１０の上下二段のモジュール挿抜部１１３に連通する位置で、空冷ファン１５０が後面開口部１１２に上側後面開口１１５および下側後面開口１１４を介して位置している。下側サーバーモジュール１２０の下側インターフェイスユニット１２３は下側後面開口１１４に配置され、上側サーバーモジュール１３０の上側インターフェイスユニット１３３は上側後面開口１１５に配置される。
【選択図】図１【図１】
0005403121.tif 000002
【図２】
0005403121.tif 000003
【図３】
0005403121.tif 000004
【図４】
0005403121.tif 000005
【図５】
0005403121.tif 000006
【図６】
0005403121.tif 000007
【図７】
0005403121.tif 000008
【図８】
0005403121.tif 000009
【図９】
0005403121.tif 000010
【図１０】
0005403121.tif 000011
【図１１】
0005403121.tif 000012
【図１２】
0005403121.tif 000013
【図１３】
0005403121.tif 000014
【図１４】
0005403121.tif 000015